(57)【要約】【課題】ＲＦＩＤを組み込んだ封印シールによって封印された基板保護ケースが不正に開放されたことによって封印シールに含まれるＲＦＩＤが破断、断線した場合に、封印シールをどのように修復してもＲＦＩＤの通信機能の回復を困難化することができる基板保護ケース、及びこの基板保護ケースを用いた遊技機を提供する。【解決手段】制御基板Ｂを内部に収容し且つ開閉可能に構成された少なくとも２つのケース片２、１０から成る基板保護ケース１であって、閉止状態にある時に封印シール３０により封印される各ケース片の端縁同志の突き合わせ部２１を備え、突き合わせ部の形状は、各ケース片の開放時に封印シールに装備されたＲＦＩＤ３５が複数箇所破断されるように構成されている。【選択図】図１
2010088783.tif 000002
【特許請求の範囲】
【請求項１】
電子部品を搭載した制御基板を内部に収容し且つ開閉可能に構成された少なくとも２つのケース片から成る基板保護ケースであって、
前記基板保護ケースは、閉止状態にある時に封印シールにより封印される前記各ケース片の端縁同志の突き合わせ部を備え、
前記封印シールは、前記各ケース片に跨って接着されることにより前記突き合わせ部を封印する接着シートと、該接着シート面に固定されたＩＣチップ、及び該ＩＣチップから延びる長尺の導体パターンを含んだＲＦＩＤと、を備え、
前記突き合わせ部の形状は、各ケース片の開放時に前記ＲＦＩＤが複数箇所破断されるように構成されていることを特徴とする基板保護ケース。
【請求項２】
前記両ケース片が閉止状態にある時に一方の前記ケース片に対して他方の前記ケース片を前記制御基板の面方向にスライドさせることにより開閉する構成を備え、
前記突き合わせ部は、一方の前記ケース片の端縁に形成された凸部及び凹部と、該凸部及び凹部と夫々嵌合するように他方の前記ケース片の端縁に形成された凹部及び凸部と、を含むことを特徴とする請求項１に記載の基板保護ケース。
【請求項３】
前記各凸部と、前記各凹部は、略円弧状、矩形状、台形状、或いは三角形状を有していることを特徴とする請求項２に記載の基板保護ケース。
【請求項４】
前記突き合わせ部は、前記導体パターンの延在方向と交差する方向へ延びることを特徴とする請求項１乃至３の何れか一項に記載の基板保護ケース。
【請求項５】
前記突き合わせ部は、前記導体パターンの延在方向と同方向へ延びることを特徴とする請求項１乃至３の何れか一項に記載の基板保護ケース。
【請求項６】
前記凸部、又は凹部の周縁に沿った外面に封印シール切断用の刃部を突設したことを特徴とする請求項１乃至５の何れか一項に記載の基板保護ケース。
【請求項７】
前記凸部の外周縁、又は／及び、前記凹部の内周縁に沿って封印シール切断用の微小な小突起を複数形成したことを特徴とする請求項１乃至５の何れか一項に記載の基板保護ケース。
【請求項８】
前記突き合わせ部を形成する一方のケース片の端縁に凹状の切欠きを設け、他方のケース片の端縁には該凹状の切欠き内に嵌合する凸片を設け、各ケース片の開放時に前記凸片に接着した前記封印シール上のＲＦＩＤの局部が破壊されるように構成したことを特徴とする請求項１に記載の基板保護ケース。
【請求項９】
前記凹状の切欠きの周縁に沿った外面、又は前記凸片の周縁に沿った外面に封印シール切断用の刃部を突設したことを特徴とする請求項８に記載の基板保護ケース。
【請求項１０】
前記凹状の切欠きの内周縁、又は／及び、前記凸片の外周縁に沿って封印シール切断用の微小な小突起を複数形成したことを特徴とする請求項８に記載の基板保護ケース。
【請求項１１】
前記突き合わせ部は、一方の前記ケース片の端縁の一部を他方の前記ケース片の端縁よりも外側へ弾性的に突出させた弾性突出片を備え、該弾性突出片は非突出位置に退避可能に構成されていることを特徴とする請求項２に記載の基板保護ケース。
【請求項１２】
前記突き合わせ部の近傍に２つのケース片間を接続するためのビス穴を形成し、該ビス穴に螺着したビスの表面を隠蔽するように前記封印シールを接着したことを特徴とする請求項１乃至１１の何れか一項に記載の基板保護ケース。
【請求項１３】
請求項１乃至１２の何れか一項に記載の基板保護ケースを備えたことを特徴とする遊技機。
【発明の詳細な説明】
【技術分野】
【０００１】
本発明は、パチンコ遊技機、スロットマシン等の各種遊技機に搭載されたＲＯＭが不正に取り換えられた場合に当該不正行為を確実に発見し、効果的に予防することができる基板保護ケース、及び遊技機に関する。
【背景技術】
【０００２】
パチンコ遊技機、スロットマシン等の各種遊技機に搭載されるＲＯＭを不正に取り換えることにより、遊技内容を遊技者に都合よく進行させて出球を獲得する不正行為が所謂ゴト師によって行われ、その手法は巧妙化している。
ＲＯＭの不正な取り換えは、工場から出荷された遊技機が遊技場に設置される以前の段階、或いは設置後に行われる可能性が高い。
このような不正行為に対する対策として特許文献１には、制御基板上のＲＯＭを包囲するケース体とカバー体とを分離不能な結合手段によって結合することにより、結合手段を破壊した場合にはその痕跡が必ず残るようにした技術が提案されている。
しかし、不正行為者の手口が更に巧妙化することにより、結合手段を破壊してＲＯＭを交換した後で、形跡が残らないように新たな結合手段を組み付ける可能性がある。
特許文献２にも不正防止のための装置構成が開示されているが、特許文献１の場合と同様の欠点を有している。
【０００３】
このような不具合に対処すべく、封印シールを用いて基板保護ケースを封印することが行われているが、カッタを用いて封印シールを切断してから基板保護ケースを開放し、ＲＯＭを交換して基板保護ケースを閉止してから封印シールの切断面を修復すると、目視によって切断箇所の有無を判別できなくなるケースが多々あった。そのような不具合に対処するため、ＲＦＩＤを組み込んだ封印シールが用いられるようになっている。
即ち、特許文献３には、識別情報を記憶したＲＦＩＤ（非接触型記憶媒体）を組み込んだ封印シールを基板保護ケースを構成するケース本体とケース蓋とに跨って接着することにより、基板保護ケースが不正に開放された場合にＲＦＩＤが破断、断線して識別情報の読取りが不可能となるようにした技術が開示されている。これによれば、読み取り装置を用いてＲＦＩＤに記憶された識別情報を読取ることができない場合に、不正に基板保護ケースが開放されたことを知ることができる。
特許文献４、５にも、ＩＣタグやテープ型のインレットを用いた同様の不正発見のための技術が開示されている。
【０００４】
図１４及び図１５は従来の基板保護ケースの構成を示す斜視図、及び分解斜視図である。内部に制御基板１２０を収容した基板保護ケース１００は、ケース本体１０１とケース蓋１０２とを接合させた構成を備えている。基板保護ケース１００の一端部に位置するケース本体とケース蓋との突き合わせ部１０３には封印シール１１０が両者に跨って接着されている。
封印シール１１０は一面に接着層を有した紙等の破断し易い材質から成る接着シート１１１と、接着シートに固定されたＲＦＩＤ（例えば、ＩＣタグ）１１２と、を備えている。ＲＦＩＤ１１２は、電力生成回路、変復調回路、記憶回路、制御回路を含むチップ１１３と、チップから反対方向に延びる二本の導体パターン１１４と、各導体パターン１１４の先端に接続されたアンテナ部１１５と、を有している。図示しない読み取り装置からＲＦＩＤ１１２に向けて読み取り用の電磁波を照射すると、チップ内の電力生成回路が電磁誘導作用により起電力を生成し、この起電力により作動する制御回路によって記憶回路内に記憶された識別情報を読み出してアンテナから読み取り装置へ送信することにより識別情報を読取ることができる。
ＲＦＩＤを構成する導体パターン１１４は接着シート１１１の対角線方向へ延びており、導体パターン１１４が突き合わせ部１０３と交差するように封印シールを接着しておくことにより、基板保護ケースが不正に開放された場合に導体パターンの一部が断線して記憶情報の読み出しを不可能とすることができる。
【０００５】
しかし、本出願人による実験によれば、基板保護ケースを開放する際に封印シール１１０が破れることによってＲＦＩＤ１１２を構成する導体パターンが一箇所だけ破断したとしても、基板保護ケースを再閉止する際に封印シールの状態を修復して破断部間の導通を回復させることが可能であった。
特に、直線的に延びる突き合わせ部１０３に沿ってカッタによって封印シール１１０を切断する過程で導体パターンを一箇所切断した場合には、後の修復作業によって導体パターンを再導通させることが比較的容易となる。
【特許文献１】特開２００６−１３０３５２公報
【特許文献２】特開２００７−１６０００４公報
【特許文献３】特開２０００−３３４１５４公報
【特許文献４】特許第４１２９９８５号
【特許文献５】特開２００８−３６２２８公報
【発明の開示】
【発明が解決しようとする課題】
【０００６】
以上のように、ＲＯＭを搭載した制御基板を収容する基板保護ケースが不正に開放された形跡を残すために、ＲＦＩＤを組み込んだ封印シールによって基板保護ケースを封印する方法を採用した場合に、基板保護ケースの開放によって封印シール及びＲＦＩＤが一旦破断、断線したとしても基板保護ケースの再閉止時に封印シールを修復してＲＦＩＤによる通信機能を回復させることが可能であった。
本発明は上記に鑑みてなされたものであり、ＲＦＩＤを組み込んだ封印シールによって封印された基板保護ケースが不正に開放されたことによって封印シールに含まれるＲＦＩＤが破断、断線した場合に、封印シールをどのように修復してもＲＦＩＤの通信機能の回復を困難化することができる基板保護ケース、及びこの基板保護ケースを用いた遊技機を提供することを目的としている。
【課題を解決するための手段】
【０００７】
上記目的を達成するため、請求項１の発明は、電子部品を搭載した制御基板を内部に収容し且つ開閉可能に構成された少なくとも２つのケース片から成る基板保護ケースであって、前記基板保護ケースは、閉止状態にある時に封印シールにより封印される前記各ケース片の端縁同志の突き合わせ部を備え、前記封印シールは、前記各ケース片に跨って接着されることにより前記突き合わせ部を封印する接着シートと、該接着シート面に固定されたＩＣチップ、及び該ＩＣチップから延びる長尺の導体パターンを含んだＲＦＩＤと、を備え、前記突き合わせ部の形状は、各ケース片の開放時に前記ＲＦＩＤが複数箇所破断されるように構成されていることを特徴とする。
基板保護ケースを構成する各ケース片の端縁同志の突き合わせ部の形状を各ケース片の開放時にＲＦＩＤが複数箇所破断されるように構成したので、ＲＦＩＤを組み込んだ封印シールによって封印された基板保護ケースが不正に開放されたことによって封印シールに含まれるＲＦＩＤが破断、断線した場合に、封印シールをどのように修復してもＲＦＩＤの通信機能の回復を困難化することができる。
【０００８】
請求項２の発明は、請求項１において、両ケース片が閉止状態にある時に一方の前記ケース片に対して他方の前記ケース片を前記制御基板の面方向にスライドさせることにより開閉する構成を備え、前記突き合わせ部は、一方の前記ケース片の端縁に形成された凸部及び凹部と、該凸部及び凹部と夫々嵌合するように他方の前記ケース片の端縁に形成された凹部及び凸部と、を含むことを特徴とする。
突き合わせ部が従来のように直線に過ぎない場合にはＲＦＩＤを一箇所程度しか切断できなかったが、ＲＦＩＤと複数箇所で交差するように突き合わせ部を構成したので、ＲＦＩＤを複数箇所で切断することが可能となる。
請求項３の発明は、請求項２において、前記各凸部と、前記各凹部は、略円弧状、矩形状、台形状、或いは三角形状を有していることを特徴とする。
請求項４の発明は、請求項１乃至３の何れか一項において、突き合わせ部は、前記導体パターンの延在方向と交差する方向へ延びることを特徴とする。
【０００９】
請求項５の発明は、請求項１乃至３の何れか一項において、突き合わせ部は、前記導体パターンの延在方向と同方向へ延びることを特徴とする。
突き合わせ部がＲＦＩＤと交差する部位の数を更に増やすことができる。
請求項６の発明は、請求項１乃至５の何れか一項において、凸部、又は凹部の周縁に沿った外面に封印シール切断用の刃部を突設したことを特徴とする。
凸部と凹部の平坦な端縁で封印シールを切断するよりも、尖った刃部により切断する方が切断効率が高まる。
請求項７の発明は、請求項１乃至５の何れか一項において、凸部の外周縁、又は／及び、前記凹部の内周縁に沿って封印シール切断用の微小な小突起を複数形成したことを特徴とする。
凸部と凹部の平坦な端縁で封印シールを切断するよりも、微小なギザギザ状の小突起により切断する方が切断効率が高まる。
請求項８の発明は、請求項１において、突き合わせ部を形成する一方のケース片の端縁に凹状の切欠きを設け、他方のケース片の端縁には該凹状の切欠き内に嵌合する凸片を設け、各ケース片の開放時に前記凸片に接着した前記封印シール上のＲＦＩＤの局部が破壊されるように構成したことを特徴とする。
【００１０】
請求項９の発明は、請求項８において、凹状の切欠きの周縁に沿った外面、又は前記凸片の周縁に沿った外面に封印シール切断用の刃部を突設したことを特徴とする。
請求項１０の発明は、請求項８において、凹状の切欠きの内周縁、又は／及び、前記凸片の外周縁に沿って封印シール切断用の小突起を複数形成したことを特徴とする。
請求項１１の発明は、請求項２において、突き合わせ部は、一方の前記ケース片の端縁の一部を他方の前記ケース片の端縁よりも外側へ弾性的に突出させた弾性突出片を備え、該弾性突出片は非突出位置に退避可能に構成されていることを特徴とする。
請求項１２の発明は、請求項１乃至１１の何れか一項において、突き合わせ部の近傍に２つのケース片間を接続するためのビス穴を形成し、該ビス穴に螺着したビスの表面を隠蔽するように前記封印シールを接着したことを特徴とする。
請求項１３の発明は、請求項１乃至１２の何れか一項に記載の基板保護ケースを備えたことを特徴とする。
【発明の効果】
【００１１】
以上のように本発明によれば、基板保護ケースを構成する各ケース片の端縁同志の突き合わせ部の形状を各ケース片の開放時にＲＦＩＤが複数箇所破断されるように構成したので、ＲＦＩＤを組み込んだ封印シールによって封印された基板保護ケースが不正に開放されたことによって封印シールに含まれるＲＦＩＤが破断、断線した場合に、封印シールをどのように修復してもＲＦＩＤの通信機能の回復を困難化することができる。
【発明を実施するための最良の形態】
【００１２】
以下、本発明を図面に示した実施の形態により詳細に説明する。
図１は本発明の基板保護ケースの外観構成を示す斜視図であり、図２はその分解斜視図であり、図３は両ケース片の組付け手順を説明するための要部構成図であり、図４は上ケースを下ケースからスライドさせる手順を示した図であり、図５は封印端部に封印シールを接着する前の状態を示す説明図であり、図６（ａ）及び（ｂ）は接着された封印シールを破断させる手順の説明図、及び破断した封印シールを示した図である。
この基板保護ケース１は、ＲＯＭを始めとした電子部品を搭載した制御基板（プリント基板）Ｂを内部に収容した状態でパチンコ遊技機等の遊技機の背面側に組み付けられる。
基板保護ケース１は、ＲＯＭを搭載した制御基板（プリント基板）Ｂを間に挟んだ状態で内部に収容する透明な樹脂製の２つのケース片（下ケース片２、上ケース片１０）から構成されている。２つのケース片２、１０は、制御基板の両面と夫々対向した状態で組み付けられており、矢印で示した制御基板面と平行な方向へスライドすることにより開閉するように構成されている。
【００１３】
符号２ａは下ケース片２側に設けた長穴状のスライド係止部であり、このスライド係止部に設けた切欠き部を介して長穴内部に上ケース片１０に設けた係合突起１０ａを係合させることにより、下ケース片２に対して上ケース片１０は長手方向へスライド可能となっており、スライドさせることにより着脱（開閉）することが可能となる。
なお、符号７０は遊技機の背面側に設けた遊技機側保持部に対して基板保護ケース１を取り付けるための連結部材であり、この連結部材７０に設けたフック部７１を遊技機側保持部に設けた軸部７５に係合させることにより、基板保護ケース１は軸部７５を中心として上下方向へ回動自在に軸支することができる。基板保護ケース１の下ケース片２がこの連結部材７０により保持されるため、基板保護ケース１は遊技機側の軸部７５を中心として上下方向へ回動することができる。
【００１４】
制御基板Ｂを収容した基板保護ケース１は下ケース片２を連結部材７０を介してパチンコ遊技機等の遊技盤の背面に添設させた状態で組み付けられるため、遊技盤の背面側から上ケース片１０を通して内部の制御基板面に搭載された電子部品を視認することができる。また、連結部材の上部に設けた軸部を中心として基板保護ケース１を上方に回動させることにより、透明な下ケース片２の底面から基板保護ケース内部を確認することができる。
この例では、連結部材７０に固定された下ケース片２の内部凹所内に制御基板Ｂを配置した状態で、上ケース片１０に設けた係合突起１０ａを下ケース片２に設けたスライド係止部２ａに嵌合させることにより上ケース片１０を下ケース片２上に被せてから（図３）、上ケース片１０を図３の矢印で示す閉止方向へスライドさせることにより両ケース片を閉止状態で結合させることができる（図１の状態）。逆に、図１の閉止状態にある基板保護ケース１を開放状態に移行させる場合には、図４に示すように上ケース片１０に設けた係合突起１０ａを下ケース片２に設けたスライド係止部２ａに沿って矢印で示した開放方向へスライドさせてから切欠きから係合突起を離脱させればよい。
【００１５】
下ケース片２と上ケース片１０の各一端部には封印片３、１１が突設されており、両封印片３、１１を突き合わせることにより封印端部２０が形成される。また、両封印片の端縁３ａ、１１ａ同志を突き合わせた界面には、突き合わせ部２１が形成される。
基板保護ケース１が図１のように閉止状態にある時に、両封印片３、１１に跨るように封印シール３０を接着することにより、封印シール３０を破損せずには突き合わせ部２１を開放できないように構成されている。
封印シール３０は一面に接着層を有した紙等の破断し易い材質から成る接着シート３１と、接着シート３１の一面に固定されたＲＦＩＤ（例えば、ＩＣタグ等の非接触型の電波による識別手段）３５と、を備えている。ＲＦＩＤ３５は、電力生成回路、変復調回路、記憶回路、制御回路を含むチップ３６と、チップ３６から反対方向に延びる二本の導体パターン３７と、各導体パターン３７の先端に夫々接続されたアンテナ部３８と、を有している。本例の封印シール３０は矩形の接着シート３１の略中心部にチップ３６を配置すると共に、チップ３６から略対角線方向へ向けて各導体パターン３７を引き出している。
図示しない読み取り装置からＲＦＩＤ３５に向けて読み取り用の電磁波を照射すると、アンテナ部３８が電磁波を受信し、導体パターン３７を介してチップ３６に電磁波を供給する。この電磁波によりチップ３６内の電力生成回路が電磁誘導作用による起電力を生成し、この起電力により作動する制御回路によって記憶回路内に記憶された識別情報を読み出してアンテナ部から読み取り装置へ送信することにより識別情報の読取りが行われる。
【００１６】
ＲＦＩＤを構成する線状の導体パターン３７は接着シート３１の略対角線方向へ延びており、導体パターン３７が突き合わせ部２１と交差するように封印シール３０を接着しておくことにより、基板保護ケースが不正に開放された場合に導体パターンの一部が断線して記憶情報の読み出しを不可能とすることができる。
即ち、基板保護ケース１を開放するために下ケース片２に対して上ケース片１０を図４中に矢印で示した開放方向へスライドさせた際に、突き合わせ部２１が開放（スライド方向に位置ずれ）することにより接着シート３１と共にＲＦＩＤ３５の一部（チップ部３６や導体パターン３７）が破断（断線）して、ＲＦＩＤの通信機能が喪失されるように構成されている。ＲＦＩＤの通信機能が喪失されると、読み取り装置から電磁波を供給してもＲＦＩＤが作動せず、記憶された識別情報を読み出すことができなくなるため、基板保護ケースが不正に開放されたことを知ることができる。
しかし、実際には基板保護ケース１を開放した際に二本の導体パターン３７のうちの一方のみが断線されたに過ぎない場合には、両ケース片２、１０を閉止状態に戻して破断した封印シール３０を修復することにより断線部が再接続により復旧して導通（読み取り装置との通信）を回復することが可能となることが判明した。
【００１７】
そこで本発明では、各ケース片２、１０を開放した時にＲＦＩＤが複数箇所、例えば二本の導体パターン３７が少なくとも一箇所ずつ確実に破断されるように突き合わせ部２１の形状を構成した。
即ち、本実施形態に係る基板保護ケース１に装備された突き合わせ部２１は、一方のケース片２の端縁３ａに形成された第１の凸部３Ａ及び第１の凹部３Ｂと、第１の凸部３Ａ及び第１の凹部３Ｂと夫々嵌合するように他方のケース片１０の端縁１１ａに形成された第２の凹部１１Ａ及び第２の凸部１１Ｂと、を含んでいる。各凸部３Ａ、１１Ｂの外周縁、及び各凹部３Ｂ、１１Ａの内周縁は、ＲＦＩＤを構成するチップ３６、及び導体パターン３７と交差するようにその形状、寸法が設定される。
各凸部３Ａ、１１Ｂの外面、及び各凹部３Ｂ、１１Ａの外側面は、接着シート３１に対して夫々十分な接着力により接着している一方で、突き合わせ部（凸部、及び凹部）２１はＲＦＩＤ３５に対して少なくとも二箇所で交差しているため、固定側の下ケース片２に対して可動側の上ケース片１０がスライド移動した時に接着シート３１と共にＲＦＩＤ３５は複数箇所で破断される（図６（ｂ））。
なお、接着シート３１と各封印片３、１１の外側面との間の接着力を十分な強さに設定しておくことにより、接着シート３１が凸部と凹部の周縁に沿って切断される際に切断位置にある導体パターンも応答性よく容易に切断されることとなる。
なお、図１乃至図６に図示した突き合わせ部２１の正面形状は、個々の凸部３Ａ、１１Ｂ、及び凹部３Ｂ、１１Ａが三角形状となっているが、突き合わせ部は接着シート上のＲＦＩＤの導体パターン３７と二箇所以上で交差するように非直線状に構成されていればよく、図７（ａ）（ｂ）に示したように矩形状（台形状を含む）、略円弧状（サインカーブ状）等々、任意の形状を選択できる。
【００１８】
また、凸部３Ａ、１１Ｂ、及び凹部３Ｂ、１１Ａは、突き合わせ部２１の全長に亘って形成する必要はなく、破断しようとする導体パターン３７が存在する部位のみに対応して設ければ足りる。
また、封印シールは通常手作業により接着されるため、接着位置、接着方向が一定しない可能性があるが、そのような場合にも十分対応して各導体パターンを一箇所以上（合計に二箇所以上）切断できるように凸部と凹部の上下幅、横幅、個数を選定する。また、互いに嵌合し合う凸部と凹部の周縁間を密着させずに両部間に所要の間隔を隔てておくことにより、両ケース片２、１０をスライドさせた時に凸部と凹部の外周輪郭に沿って封印シールを切断することが容易となる。
なお、ＲＦＩＤ３５を二箇所以上の部位で断線させることができれば、不正行為者による修復作業による導通の回復は更に困難となる。
【００１９】
また、上記実施形態では、各封印片３、１１の前端面にのみ夫々凸部３Ａ、１１Ｂ、及び凹部３Ｂ、１１Ａが位置しているが、各封印片３、１１の前端面と直交する他の面（スライド方向と平行な面）３ｂ、１１ｂに凹部と凸部を延在させるように構成してもよい。この場合には基板保護ケースの不正開放時に他の面３ｂ、１１ｂ上に接着された導体パターンをも切断することが可能となり、ＲＦＩＤの通信機能をより確実に喪失させることができる。
また、上記実施形態に係る突き合わせ部２１の形状は、ＲＦＩＤ３５を構成する導体パターン３７が延びる対角線方向と交差する方向（基板保護ケースの面方向）へ延びているが、図８（ａ）（ｂ）に示した構成例のように突き合わせ部２１の形状を導体パターン（チップ３６を含む）の延在方向と同方向へ延びるように構成してもよい。このように導体パターンの延在方向と突き合わせ部の延在方向を合致させることにより、突き合わせ部を構成する凸部３Ａ、１１Ｂ、及び凹部３Ｂ、１１Ａをより確実に各導体パターン３７と一箇所以上（合計に箇所以上）で交差させることができ、ケース片のスライド時に確実な切断が可能となる。
【００２０】
次に、図９は本発明の他の実施形態に係る基板保護ケースの要部構成を示す説明図である。
この実施形態の特徴的な構成は、突き合わせ部２１を形成する一方のケース片、本例では上ケース片１０の封印片１１の端縁に凹状の切欠き４０を設け、他方のケース片２の封印片３の端縁には凹状の切欠き４０内に嵌合する凸片４１を設け、各ケース片２、１０の開放時に凸片４１の外側面に接着した封印シール３０上のＲＦＩＤ３５の局部が破壊されるように構成している。
本例では、上ケース片１０の端縁中央部に凹状の切欠き４０を設け、下ケース片２の端縁中央部には凹状の切欠き４０内に嵌合する凸片４１を設け、各ケース片の開放時に凸片４１の外面に接着した封印シール上のチップ３６が二本の導体パターン３７から強制分離されるように構成している。このため、不正に開放したケース片を再閉止して封印シールを修復しようとしてもチップ３６と導体パターン３７との導通を回復することはほとんど不可能となる。更に、上記実施形態における凸部と凹部による導体パターンの切断を併用することにより、より確実にＲＦＩＤの通信機能を喪失させることができる。
なお、切欠き４０、及び凸片４１の形状は図示したような円弧状であってもよいし、三角形、矩形、その他の形状であってもよい。
このように切欠き４０、及び凸片４１からなる凹凸嵌合部を一箇所設けることにより、ケース片を開放する際に封印シール３０に加わる切断力を一箇所に集中させることが可能となり、確実、且つ安定した切断を実現できる。
【００２１】
次に、図１０（ａ）及び（ｂ）は本発明の他の実施形態に係る基板保護ケースの要部構成を示す正面図、及びＡ−Ａ断面図である。
この実施形態の特徴的な構成は、上ケース片１０の封印片１１の端縁に沿った外面に封印シールを切断するための刃部（封印シール切断用の小突起）４５を突出形成した点にある。下ケース片２に対して上ケース片１０を開放方向へスライドさせて突出させる際に、凸部１１Ｂの端縁に沿った外面に設けた刃部４５により封印シール３０を切断することが容易となる。
刃部４５は連続していてもよいし、鋸刃のように断続状に設けても良い。
なお、本例では固定側の下ケース片２に対して上ケース片１０が開放方向にスライド移動する際に下ケース片の封印片３の端面よりも上ケース片の封印片１１の端面が左方に突出する構成を採用しているため、上ケース片側に刃部を設けたが、開放時に上ケース片に対して下ケースを突出方向へスライドさせる構成を採用する場合には、下ケース片２の封印片３の凸部３Ａの端縁に沿って刃部４５を形成すればよい。
また、図９の実施形態に係る切欠き４０の周縁に沿った外面に刃部４５を設けても同様の効果を得ることができる。
【００２２】
次に、図１１は本発明の他の実施形態に係る基板保護ケースの要部構成（封印端部の正面図）を示す説明図である。
この実施形態に係る封印端部２０の特徴的な構成は、各封印片３、１１の端縁（凸部３Ａ、１１Ｂ、及び凹部３Ｂ、１１Ａ）を直線状（平坦面状）とせずに、微小な鋭角状の小突起群から成るギザギザ状に構成することにより、このギザギザ部５０によって凸部３Ａ、１１Ｂ、及び凹部３Ｂ、１１Ａによる切断性能を高めるようにした点にある。
次に、図１２（ａ）及び（ｂ）は本発明の他の実施形態に係る基板保護ケースの要部構成（封印端部の断面）を示す説明図である。
この実施形態に係る封印端部２０は、突き合わせ部２１が、上ケース片側の封印片１１の端縁の一部を下ケース側の封印片３の端縁よりも外側（開放時における上ケース片の移動方向）へ弾性的に突出させた弾性突出片５５を備え、弾性突出片５５は図１２（ｂ）に示した非突出位置に退避可能に構成されている点が特徴的である。
封印シール３０を封印端部２０に接着する前の状態では図１２（ａ）に示すように弾性突出片５５は外側（上ケースの移動方向）へ突出した状態にあるが、弾性突出片５５を内側に弾性変形させて封印端部正面を平坦化させてから封印シール３０を封印端部に接着することが可能となる（（ｂ））。
図１２（ｂ）のように封印シール３０により弾性突出片５５を押さえ込んだ状態では封印シールは破断することはないが、下ケース片２に対して上ケース片１０を開放するために矢印方向へ上ケース片１０をスライドさせる際に、弾性突出片５５の原形復帰力が加わって封印シール３０の局部をより確実に切断することが可能となる。
【００２３】
次に、図１３（ａ）乃至（ｄ）は本発明の他の実施形態に係る基板保護ケースの要部構成を示す説明図であり、この実施形態では、封印片３、１１同志の突き合わせ部２１の近傍に２つのケース片２、１０間を接続するためのビス穴６０を形成し、ビス穴６０に螺着したビス６５の表面を隠蔽するように封印シール３０を接着している。ビス穴６０は封印片３の内壁から延びる円筒部６１と、封印片１１の内壁から延びる円筒部６２の内部に形成された雌螺子であり、封印片１１側の円筒部６２は封印片の側面で開口しており、この開口部からビス６５を螺着することにより、両封印片３、１１を結合することができる。
ビス６５によって両封印片３、１１を結合した状態で封印端部２０の外面に封印シール３０を接着することにより封印が完了する。この時、ビス穴６０及びビス６５は封印シールにより隠蔽された状態にある。
両ケース片２、１０を開放するためには、まず封印シール３０により隠蔽されたビス６５をドライバーを用いて回すことにより取り外す必要があるため、ビスの表面を覆う封印シール部分を破る必要がある。従って、不正に基板保護ケース１を開放する行為が行われた場合には必ずビスの表面にある封印シール部分が破損された状態となるため、開封がなされたことを目視により容易に知ることができる。
なお、図１３の構成例では、突き合わせ部２１を直線状とした例を示したが、上記各実施形態に示したように凹凸状の突き合わせ部を有した封印端部２０に対してビス穴及びビスから成る不正行為発見のための構造を適用してもよい。
【００２４】
また、両封印片３、１１を開放する際に、封印シール３０をより破断し易くするために、突き合わせ部２１の凹凸形状と整合した凹凸形状のミシン目等からなる切断容易ラインを封印シール面に形成してもよい。
また、上記各実施形態では、各ケース片２、１０から突出した封印片３、１１に跨って封印シール３０を接着する場合について説明したが、本発明による突き合わせ部の構成は突出した封印端部２０に限られず、各ケース片２、１０の端縁により形成される突き合わせ部全体に適用することができる。
以上のように本発明によれば、基板保護ケース１を構成する各ケース片２、１０の端縁同志の突き合わせ部の形状２１を各ケース片の開放時にＲＦＩＤ３５が複数箇所破断されるように構成したので、ＲＦＩＤを組み込んだ封印シール３０によって封印された基板保護ケースが不正に開放されたことによって封印シールに含まれるＲＦＩＤが破断、断線した場合に、封印シールをどのように修復してもＲＦＩＤの通信機能の回復を困難化することができる。
即ち、突き合わせ部が従来のように直線に過ぎない場合にはＲＦＩＤを一箇所程度しか切断できなかったが、ＲＦＩＤと複数箇所で交差するように突き合わせ部２１を構成したので、ＲＦＩＤを複数箇所で切断することが可能となる。
【図面の簡単な説明】
【００２５】
【図１】本発明の基板保護ケースの外観構成を示す斜視図である。
【図２】図１の分解斜視図である。
【図３】両ケース片の組付け手順を説明するための要部構成図である。
【図４】上ケースを下ケースからスライドさせる手順を示した図である。
【図５】封印端部に封印シールを接着する前の状態を示す説明図である。
【図６】（ａ）及び（ｂ）は接着された封印シールを破断させる手順の説明図、及び破断した封印シールを示した図である。
【図７】（ａ）及び（ｂ）は夫々本発明の他の実施形態に係る突き合わせ部の構成を示す斜視図である。
【図８】（ａ）及び（ｂ）は夫々本発明の他の実施形態に係る突き合わせ部の構成を示す斜視図である。
【図９】本発明の他の実施形態に係る基板保護ケースの要部構成を示す説明図である。
【図１０】（ａ）及び（ｂ）は本発明の他の実施形態に係る基板保護ケースの要部構成を示す正面図、及びＡ−Ａ断面図である。
【図１１】本発明の他の実施形態に係る基板保護ケースの要部構成（封印端部の正面図）を示す説明図である。
【図１２】（ａ）及び（ｂ）は本発明の他の実施形態に係る基板保護ケースの要部構成（封印端部の断面）を示す説明図である。
【図１３】（ａ）乃至（ｄ）は本発明の他の実施形態に係る基板保護ケースの要部構成を示す説明図である。
【図１４】従来の基板保護ケースの構成を示す斜視図である。
【図１５】図１４の基板保護ケースの分解斜視図である。
【符号の説明】
【００２６】
１…基板保護ケース、２…下ケース片、２ａ…スライド係止部、３…封印片、３ａ…端縁、３ｂ…他の面、３Ａ、１１Ｂ…凸部、３Ｂ、１１Ａ…凹部、１０…上ケース片、１０ａ…係合突起、１１…封印片、１１ａ…端縁、２０…封印端部、２１…突き合わせ部、３０…封印シール、３１…接着シート、３５…ＲＦＩＤ、３６…チップ、３７…導体パターン、３８…アンテナ部、４１…凸片、４５…刃部、５０…ギザギザ部、５５…弾性突出片、６０…ビス穴、６１…円筒部、６２…円筒部、６５…ビス、７０…連結部材、７１…フック部、７５…軸部
【図１】
2010088783.tif 000003
【図２】
2010088783.tif 000004
【図３】
2010088783.tif 000005
【図４】
2010088783.tif 000006
【図５】
2010088783.tif 000007
【図６】
2010088783.tif 000008
【図７】
2010088783.tif 000009
【図８】
2010088783.tif 000010
【図９】
2010088783.tif 000011
【図１０】
2010088783.tif 000012
【図１１】
2010088783.tif 000013
【図１２】
2010088783.tif 000014
【図１３】
2010088783.tif 000015
【図１４】
2010088783.tif 000016
【図１５】
2010088783.tif 000017